【手続補正書】
【提出日】平成25年9月27日(2013.9.27)
【手続補正１】
【補正対象書類名】特許請求の範囲
【補正対象項目名】請求項１６
【補正方法】変更
【補正の内容】
【請求項１６】
コンピュータプログラムであって、
複数の階層レベルを含む製品カテゴリツリーにアクセスするための機能と、
前記複数の階層レベルのリーフカテゴリレベルは、リーフカテゴリノードを含み、
前記リーフカテゴリノードは、製品情報を含み、
前記製品情報は、複数の製品属性パラメータを含み、
前記複数の製品属性パラメータは、標準製品情報を構成し、
前記リーフカテゴリノードに対応する前記複数の製品属性パラメータの中から、前記製品情報を代表する代表的な製品属性パラメータを選択するための機能と、
それぞれ前記標準製品情報の少なくとも一部を含む複数のセットを得るために、前記代表的な製品属性パラメータを使用して前記リーフカテゴリノードの標準製品情報を分割するための機能と、
をコンピュータによって実現させるコンピュータプログラム。
【手続補正２】
【補正対象書類名】明細書
【補正対象項目名】００２９
【補正方法】変更
【補正の内容】
【００２９】
これらの要求を満足させるために、一部の実施形態では、セットの分割用の製品属性パラメータを選択するための基準は、製品属性パラメータが過去の一定期間内に検索基準として使用されていること、製品属性パラメータがリーフカテゴリ下の製品情報を検索するために使用された回数が第１の閾値に達していること、及び上記製品属性パラメータが離散型であることを要求する。
【手続補正３】
【補正対象書類名】明細書
【補正対象項目名】００５７
【補正方法】変更
【補正の内容】
【００５７】
ステップ１０９では、ステップ１０８において決定された製品属性パラメータに基づいて、非標準製品情報が属するセットが決定される。この時点では、決定された製品属性パラメータの値と、各セットにおける標準製品情報に含まれる製品属性パラメータの値とに基づいて、非標準製品情報の製品属性パラメータの値と同じ値を持つセットが特定される。
【手続補正４】
【補正対象書類名】明細書
【補正対象項目名】００７３
【補正方法】変更
【補正の内容】
【００７３】
上述の機器は、更に、判定モジュール１６を含み、該モジュールは、非標準製品情報に含まれる、セット分割に使用された全ての製品属性パラメータの値が設定基準を満たさないかどうかを判定するために使用され、満たさないならば、非標準パラメータ決定モジュールがトリガされ、満たすならば、標準パラメータ決定モジュールがトリガされ、上述の非標準製品情報のなかの、セットの分割に使用された少なくとも１つの製品属性パラメータの値は、設定基準を満たす。
【手続補正５】
【補正対象書類名】明細書
【補正対象項目名】００７８
【補正方法】変更
【補正の内容】
【００７８】
非標準製品情報に含まれる、セット分割に使用された製品属性パラメータの値の全ては、設定基準を満たさないとき：
【手続補正６】
【補正対象書類名】明細書
【補正対象項目名】００９０
【補正方法】変更
【補正の内容】
【００９０】
以上の実施形態は、理解を明瞭にする目的で幾らか詳細に説明されてきたが、発明は、提供された詳細に限定されない。発明を実現するには、多くの代替的手法がある。開示された実施形態は、例示的なものであり、限定を目的としたものではない。
適用例１：データ処理システムであって、１つ以上のプロセッサであって、複数の階層レベルを含む製品カテゴリツリーにアクセスするように構成され、前記複数の階層レベルのリーフカテゴリレベルは、リーフカテゴリノードを含み、前記リーフカテゴリノードは、製品情報を含み、前記製品情報は、複数の製品属性パラメータを含み、前記複数の製品属性パラメータは、標準製品情報を構成し、前記リーフカテゴリノードに対応する前記複数の製品属性パラメータの中ら、前記製品情報を代表する代表的な製品属性パラメータを選択するように構成され、複数のセットを得るために、前記代表的な製品属性パラメータを使用して前記リーフカテゴリノードの標準製品情報を分割するように構成されている、１つ以上のプロセッサと、前記複数のセットはそれぞれ前記標準製品情報の少なくとも一部を含むように構成されており、前記１つ以上のプロセッサに接続され、前記１つ以上のプロセッサに命令を提供するように構成されている１つ以上のメモリと、を備える、システム。
適用例２：適用例１に記載のシステムであって、前記代表的な製品属性パラメータは、製品を検索するためにユーザによって以前に使用されている、システム。
適用例３：適用例１に記載のシステムであって、前記複数のセットのうちの１つのセットは、前記セットに関連付けられている全ての製品において同一の値の製品属性パラメータを含む、システム。
適用例４：適用例１に記載のシステムであって、前記プロセッサは、更に、製品のお勧めをするために前記複数のセットを使用するように構成されている、システム。
適用例５：適用例１に記載のシステムであって、前記プロセッサは、更に、検索結果を提供するために前記複数のセットを検索するように構成されている、システム。
適用例６：適用例１に記載のシステムであって、前記標準製品情報は、複数の非製品属性パラメータを含む、システム。
適用例７：適用例６に記載のシステムであって、前記プロセッサは、更に、非製品属性パラメータの類似度を決定し、前記複数のセットのうちの１つのセット内の前記標準製品情報を、各サブセット内の前記類似度が閾値を満たすように複数のサブセットに分割するように構成されている、システム。
適用例８：適用例７に記載のシステムであって、前記プロセッサは、更に、製品のお勧めをするために前記複数のサブセットを使用するように構成されている、システム。
適用例９：適用例１に記載のシステムであって、前記複数の製品属性パラメータは、更に、非標準製品情報を構成する、システム。
適用例１０：適用例７に記載のシステムであって、前記複数の製品属性パラメータは、更に、非標準製品情報を構成し、前記プロセッサは、更に、前記非標準製品情報に対応し、セット分割に使用された製品属性パラメータの値が設定基準を満たすかどうかを決定するように構成されている、システム。
適用例１１：適用例１０に記載のシステムであって、前記プロセッサは、更に、前記非標準製品情報に対応し、セット分割に使用された前記製品属性パラメータの値が設定基準を満たさない場合に、前記非標準製品情報に対する前記非製品属性パラメータの相関性が第３の閾値を満たすようなサブセットを決定するように構成されている、システム。
適用例１２：適用例１１に記載のシステムであって、前記プロセッサは、更に、前記非標準製品情報に対応し、セット分割に使用された前記製品属性パラメータの少なくとも一部の値が設定基準を満たす場合に、前記少なくとも一部の前記製品属性パラメータの値に基づいて、前記非標準製品情報が属するセットを決定するように構成されている、システム。
適用例１３：適用例１２に記載のシステムであって、前記プロセッサは、更に、前記非標準製品情報を、前記非標準製品情報が属する前記セットのサブセットに分配するように構成されている、システム。
適用例１４：適用例１３に記載のシステムであって、前記プロセッサは、更に、標準製品情報及び非標準製品情報の重複を打ち消すように構成されている、システム。
適用例１５：データ処理方法であって、複数の階層レベルを含む製品カテゴリツリーにアクセスし、前記複数の階層レベルのリーフカテゴリレベルは、リーフカテゴリノードを含み、前記リーフカテゴリノードは、製品情報を含み、前記製品情報は、複数の製品属性パラメータを含み、前記複数の製品属性パラメータは、標準製品情報を構成し、前記リーフカテゴリノードに対応する前記複数の製品属性パラメータの中から、前記製品情報を代表する代表的な製品属性パラメータを選択し、複数のセットを得るために、前記代表的な製品属性パラメータを使用して前記リーフカテゴリノードの標準製品情報を分割し、前記複数のセットは、それぞれ前記標準製品情報の少なくとも一部を含むこと、を備える方法。
適用例１６：有形のコンピュータによって読み取り可能なストレージ媒体に実装されているコンピュータプログラム製品であって、複数の階層レベルを含む製品カテゴリツリーにアクセスするためのコンピュータ命令と、前記複数の階層レベルのリーフカテゴリレベルは、リーフカテゴリノードを含み、前記リーフカテゴリノードは、製品情報を含み、前記製品情報は、複数の製品属性パラメータを含み、前記複数の製品属性パラメータは、標準製品情報を構成し、前記リーフカテゴリノードに対応する前記複数の製品属性パラメータの中から、前記製品情報を代表する代表的な製品属性パラメータを選択するためのコンピュータ命令と、複数のセットを得るために、前記代表的な製品属性パラメータを使用して前記リーフカテゴリノードの標準製品情報を分割するためのコンピュータ命令と、前記複数のセットは、それぞれ前記標準製品情報の少なくとも一部を含むことと、を備えるコンピュータプログラム製品。